(57)【要約】【課題】屋根構造における排湿機能を確保しながら、建物の気密性向上に有効である屋根パネル及び屋根構造を提供することを目的とする。【解決手段】垂木６上に複数が面状に並べて配置される屋根パネル１であって、排湿のための通気路４が形成されたパネル本体５０と、パネル本体５０の外周面のうち、隣接する他の屋根パネル１のパネル本体５０に対向し、且つ、通気路４と他の屋根パネル１の通気路４とを連通する連通口４０が形成されたパネル端面５３と、パネル端面５３に取り付けられ、建物２００の室内Ａ１と連通口４０との間での気体の流通を抑止する気密パッキング６０と、を備える。この構成により、各屋根パネル１の通気路４は連通口４０を介して互いに連通し、排湿機能を効果的に達成でき、パネル端面５３には、気密パッキング６０が取り付けられているため、建物２００の気密性向上にも有効である。【選択図】図１
2010090539.tif 000002
【特許請求の範囲】
【請求項１】
垂木上に複数が面状に並べて配置される屋根パネルであって、
通気路が形成されたパネル本体と、
前記パネル本体の外周面のうち、隣接する他の屋根パネルのパネル本体に対向し、且つ、前記通気路と前記他の屋根パネルの通気路とを連通する連通口が形成されたパネル端面と、
前記パネル端面に取り付けられ、建物の室内と前記連通口との間での気体の流通を抑止する気密補助材と、を備えることを特徴とする屋根パネル。
【請求項２】
前記パネル本体は、前記垂木上に配置された際に、建物の室内側を向く下面と、前記建物の屋外側を向く上面とを有し、
前記気密補助材は、前記連通口の下縁に沿って延在することを特徴とする請求項１記載の屋根パネル。
【請求項３】
前記気密補助材は、前記パネル端面の長手方向の両側の側縁に沿って立ち上がるように配置され、
前記気密補助材の両方の端部は、前記パネル本体の上面から突き出ていることを特徴とする請求項２記載の屋根パネル。
【請求項４】
前記パネル本体は、プラスチック発泡体からなる断熱主板の複数枚を断熱主板相互の間隔が略垂木巾になるように配置し、該断熱主板相互をプラスチック発泡体からなる細長の断熱連結板を上側から貼着することによって連結し、該連結部分を垂木嵌合部とした断熱材の複数枚を野地面材の下面に該断熱連結板を介して接着し、該野地面材と該断熱主板との間において、該断熱連結板相互の間には該断熱連結板の厚み分の前記通気路を形成したことを特徴とする請求項１〜３のいずれか一項記載の屋根パネル。
【請求項５】
垂木上に複数の屋根パネルが並べて配置されることで屋根下地が形成される屋根構造であって、
前記屋根パネルは、
通気路が形成されたパネル本体と、
前記パネル本体の外周面のうち、隣接する他の屋根パネルのパネル本体に対向するパネル端面と、
前記パネル端面に形成され、前記通気路と前記他の屋根パネルの通気路とを連通する連通口と、
前記パネル端面に取り付けられ、建物の室内と前記連通口との間での気体の流通を抑止する気密補助材と、を備えることを特徴とする屋根構造。
【請求項６】
前記パネル本体は、前記垂木上に配置された際に、建物の室内側を向く下面と、前記建物の屋外側を向く上面とを有し、
前記気密補助材は、前記連通口の下縁に沿って延在し、さらに、前記パネル端面の長手方向の両側の側縁に沿って立ち上がるように配置され、
前記気密補助材の両方の端部は、前記パネル本体の上面から突き出ており、
複数の前記屋根パネルは、通気路同士が繋がる第１の方向と、前記第１の方向に交差する第２の方向とに沿って並べられ、
前記第２の方向に沿って隣接する第１の前記屋根パネルと第２の前記屋根パネルとの境界は、上面側から取り付けられた気密部によって被覆され、
前記気密部は、前記第１の屋根パネルの上面から突き出た前記気密補助材の一方の端部と、前記第２の屋根パネルの上面から突き出た前記気密補助材の一方の端部とを被覆することを特徴とする請求項５記載の屋根構造。
【請求項７】
前記屋根パネルの前記パネル本体は、プラスチック発泡体からなる断熱主板の複数枚を断熱主板相互の間隔が略垂木巾になるように配置し、該断熱主板相互をプラスチック発泡体からなる細長の断熱連結板を上側から貼着することによって連結し、該連結部分を垂木嵌合部とした断熱材の複数枚を野地面材の下面に該断熱連結板を介して接着し、該野地面材と該断熱主板との間において、該断熱連結板相互の間には該断熱連結板の厚み分の前記通気路を形成したことを特徴とする請求項５または６記載の屋根構造。
【発明の詳細な説明】
【技術分野】
【０００１】
本発明は、排湿のための通気路が形成された屋根パネル、及び該屋根パネルを垂木上に複数並べて配置することで屋根下地が形成された屋根構造に関する。
【背景技術】
【０００２】
従来の通気性の屋根下地を備えた屋根構造では、例えば、下側野地面の上面に所定間隔をおいて胴縁を固定し、胴縁の上端に上側野地面を固定していた。胴縁によって形成された下側野地面と上側野地面との間には、断熱材が介在され、断熱材の上面と上側野地面との間には、通気路となる隙間が形成され、この隙間によって排湿が図られていた。しかしながら、この種の屋根構造では、野地面材が上側と下側とに必要であり、また胴縁も必要であるので、部材点数が多くなり、材料費も高くなると共に、構築にも手間がかかると云う問題点があった。そこで、部品点数の軽減や屋根構造の構築の手間軽減を目的として、例えば、排湿のための通気路を有する複数の屋根パネルを垂木上に敷き並べて屋根下地を形成する技術が提案されている（特許文献１参照）。
【特許文献１】特許第４０２８８８１号公報
【発明の開示】
【発明が解決しようとする課題】
【０００３】
特許文献１に記載の屋根パネル及び屋根構造は、部品点数の軽減や屋根構造の構築の手間軽減という観点からは非常に優れている。しかしながら、通気路を屋根パネルに形成しているため、複数の屋根パネルを敷き並べた場合に、隣接する屋根パネルの通気路同士を連通させる必要があり、その通気路は外気に開放されていることもあって建物の気密を確保するという観点からは改良の余地があった。
【０００４】
本発明は、以上の課題を解決することを目的としており、屋根構造における排湿機能を確保しながら、建物の気密性向上に有効である屋根パネル及び屋根構造を提供することを目的とする。
【課題を解決するための手段】
【０００５】
本発明は、垂木上に複数が面状に並べて配置される屋根パネルであって、通気路が形成されたパネル本体と、パネル本体の外周面のうち、隣接する他の屋根パネルのパネル本体に対向し、且つ、通気路と他の屋根パネルの通気路とを連通する連通口が形成されたパネル端面と、パネル端面に取り付けられ、建物の室内と連通口との間での気体の流通を抑止する気密補助材と、を備えることを特徴とする。
【０００６】
本発明に係る屋根パネルは、通気路が形成されたパネル本体を備え、さらに、その通気路と他の屋根パネルの通気路とを連通するための連通口が、パネル端面に形成されている。従って、複数の屋根パネルを垂木上で面状に並べて配置した際に、各屋根パネルの通気路は連通口を介して互いに連通し、排湿機能を効果的に達成できる。さらに、連通口が形成されたパネル端面には、建物の室内と連通口との間での気体の流通を抑止する気密補助材が取り付けられているため、建物の気密性向上にも有効である。そして、特に、本発明によれば、排湿機能の確保と気密性の向上とを両立できるので、排湿に必要な通気を確保しつつ建物の計画換気が容易となり、従来隙間から逃げていた空気によるエネルギー損失を抑制し省エネルギー性に優れた建物を構築し易くなる。
【０００７】
さらに、パネル本体は、垂木上に配置された際に、建物の室内側を向く下面と、建物の屋外側を向く上面とを有し、気密補助材は、通気口の下縁に沿って延在すると好適である。この構成により、室内と通気口との間の気体の流通を確実に抑えることができる。
【０００８】
さらに、気密補助材は、パネル端面の長手方向の両側の側縁に沿って立ち上がるように配置され、気密補助材の両方の端部は、パネル本体の上面から突き出ていると好適である。隣接する複数の屋根パネルの気密補助材同士は、気密性を確保するために連続した状態を形成するのが望ましい。しかしながら、気密補助材はパネル端面に形成されているために、屋根パネルを構築した後では、上面側から気密補助材同士の連続性を確認するのは非常に困難である。しかしながら、上記構成によれば、屋根パネルを構築した後で、隣接する一方の屋根パネルから突き出ている気密補助材の端部と、他方の屋根パネルから突き出ている気密補助材の端部とを気密部で被覆することで簡単、且つ確実に気密性を確保できる。
【０００９】
さらに、パネル本体は、プラスチック発泡体からなる断熱主板の複数枚を断熱主板相互の間隔が略垂木巾になるように配置し、該断熱主板相互をプラスチック発泡体からなる細長の断熱連結板を上側から貼着することによって連結し、該連結部分を垂木嵌合部とした断熱材の複数枚を野地面材の下面に該断熱連結板を介して接着し、該野地面材と該断熱主板との間において、該断熱連結板相互の間には該断熱連結板の厚み分の通気路を形成すると好適である。この構成では、垂木の上に断熱材の断熱連結板が存在するから、断熱欠損部が存在せず、また屋根パネルの野地面材と断熱材の断熱主板との間において、該断熱連結板相互の間に通気路が設けられており、この通気路が軒先と棟部とにおいて外気に開放されているので、屋根の厚さを厚くすることなく屋根の通気性が確保される。
【００１０】
また、本発明は、垂木上に複数の屋根パネルが並べて配置されることで形成される屋根構造であって、屋根パネルは、通気路が形成されたパネル本体と、パネル本体の外周面のうち、隣接する他の屋根パネルのパネル本体に対向するパネル端面と、パネル端面に形成され、通気路と他の屋根パネルの通気路とを連通する連通口と、パネル端面に取り付けられ、建物の室内と連通口との間での気体の流通を抑止する気密補助材と、を備えることを特徴とする。本発明によれば、各屋根パネルの通気路は連通口を介して互いに連通し、排湿機能を効果的に達成できる。さらに、連通口が形成されたパネル端面には、建物の室内と連通口との間での気体の流通を抑止する気密補助材が取り付けられているため、建物の気密性向上にも有効である。そして、特に、本発明によれば、排湿機能の確保と気密性の向上とを両立できるので、建物の計画換気が容易となり、省エネルギー性に優れた建物を構築し易くなる。
【００１１】
さらに、パネル本体は、垂木上に配置された際に、建物の室内側を向く下面と、建物の屋外側を向く上面とを有し、気密補助材は、通気路の下縁に沿って延在し、さらに、パネル端面の長手方向の両側の側縁に沿って立ち上がるように配置され、気密補助材の両方の端部は、パネル本体の上面から突き出ており、複数の屋根パネルは、通気路同士が繋がる第１の方向と、第１の方向に交差する第２の方向とに沿って並べられ、第２の方向に沿って隣接する第１の屋根パネルと第２の屋根パネルとの境界は、上面側から取り付けられた気密部によって被覆され、気密部は、第１の屋根パネルの上面から突き出た気密補助材の一方の端部と、第２の屋根パネルの上面から突き出た気密補助材の一方の端部とを被覆すると好適である。この構成によれば、簡単、且つ確実に気密性を確保できる。
【００１２】
さらに、屋根パネルのパネル本体は、プラスチック発泡体からなる断熱主板の複数枚を断熱主板相互の間隔が略垂木巾になるように配置し、該断熱主板相互をプラスチック発泡体からなる細長の断熱連結板を上側から貼着することによって連結し、該連結部分を垂木嵌合部とした断熱材の複数枚を野地面材の下面に該断熱連結板を介して接着し、該野地面材と該断熱主板との間において、該断熱連結板相互の間には該断熱連結板の厚み分の通気路を形成すると好適である。この構成によれば、垂木の上に断熱材の断熱連結板が存在するから、断熱欠損部が存在せず、また屋根パネルの野地面材と断熱材の断熱主板との間において、該断熱連結板相互の間に通気路が設けられており、この通気路が軒先と棟部とにおいて外気に開放されているので、屋根の厚さを厚くすることなく屋根の通気性が確保される。
【発明の効果】
【００１３】
本発明によれば、屋根構造における排湿機能を確保しながら、建物の気密性向上を図ることが容易になる。
【発明を実施するための最良の形態】
【００１４】
以下、図面を参照しつつ本発明に係る屋根パネル及び屋根構造の好適な一実施形態について詳細に説明する。屋根構造２０１（図７参照）は、面状に並べて配置された複数の屋根パネル１によって形成される屋根下地を備えている。図１及び図２に示すように、屋根パネル１は、パネル本体５０と、パネル本体５０に取り付けられた気密パッキング６０とを備えている。
【００１５】
パネル本体５０は、野地面材２と、野地面材２の下面に接着剤によって接着されている断熱材３とからなる。断熱材３は、複数枚の断熱主板３Ａと、隣接する一対の断熱主板３Ａ間を連結する細長の断熱連結板３Ｂとからなる。断熱主板３Ａ及び断熱連結板３Ｂは、同じ材料からなり、この材料としては、ポリスチレン樹脂発泡体、ポリエチレン樹脂発泡体、ポリプロピレン樹脂発泡体、ポリウレタン樹脂発泡体、必要に応じ上下両面にプラスチックフィルム、不織布、紙、金属製シート（表面材）が貼着されているポリウレタン発泡体あるいはフェノール樹脂発泡体、メラミン樹脂発泡体等のプラスチック発泡体が用いられる。
【００１６】
一対の断熱主板３Ａ間には垂木嵌合溝５が形成され、断熱連結板３Ｂは、一対の断熱主板３Ａの隣接部分に上側から貼着されている。そして、断熱材３は断熱連結板３Ｂを介して野地面材２に接着されており、その結果、野地面材２と断熱材３の断熱主板３Ａとの間には、断熱連結板３Ｂの厚み分の通気路４が形成されている。垂木嵌合溝５の巾は、垂木６の巾よりも僅かに大きく、垂木６の嵌め込みが可能となるような巾（略垂木巾）になっている。
【００１７】
屋根パネル１の両端においては、断熱材３の断熱連結板３Ｂと野地面材２とを共に断熱主板３Ａから延出せしめ、延出部分３Ｃの下側を両端の垂木嵌合溝５Ａとする。上記両端の垂木嵌合溝５Ａの巾は、その他の垂木嵌合溝５の巾の１／２に設定する。なお、ここで、図１及び図２に示される屋根パネル１は、２枚の断熱主板３Ａと３枚の断熱連結板３Ｂとを有する代表的な形態のものである。
【００１８】
図３に示すように、複数の屋根パネル１は、垂木６の長手方向に沿った縦方向（第１の方向）ＬＤと、縦方向に直交する横方向（第２の方向）ＣＤと、に沿って並べられ、垂木６上に二次元的（面状）に敷き詰められた状態になって屋根下地を構築する。
【００１９】
屋根パネル１が垂木６上に並べて配置される際に、パネル本体５０の断熱主板３Ａ側の表面は、建物２００の室内Ａ１（図４参照）側を向く下面５１となり、野地面材２側の表面は、建物の屋外Ａ２側を向く上面５２となる。さらに、パネル本体５０の外周面のうち、下面５１と上面５２とを除いた端面５３，５４は、縦方向ＬＤまたは横方向ＣＤに隣接する他の屋根パネル１Ａ，１Ｂのパネル本体５０に対向している。なお、図３に示す複数の屋根パネル１，１Ａ，１Ｂは全て同一の構成からなるが、説明の便宜上、屋根パネル１に対して縦方向ＬＤに隣接する他の屋根パネルに符号１Ａを付しており、屋根パネル１に対して横方向ＣＤに隣接する他の屋根パネルに符号１Ｂを付している。
【００２０】
パネル本体５０の端面５３，５４のうち、縦方向ＬＤに並ぶ一対の端面５３には、通気路４の連通口４０が形成されており、縦方向ＬＤに隣接する屋根パネル１，１Ａの通気路４同士は、連通口４０を介して繋がっており、互いに連通している。以下、連通口４０が形成された端面５３をパネル端面という。
【００２１】
パネル本体５０は一対のパネル端面５３を有するが、少なくとも一方のパネル端面５３には、気密パッキング（気密補助材）６０が取り付けられている。気密パッキング６０は、ＥＰＤＭゴム発泡体などからなるシーリング材であり、例えば、エプトシーラー（登録商標）ゴムなどが用いられ、紐状（ライン状）に形成されている。気密パッキング６０は、左右に形成された両方の連通口４０，４０の室内Ａ１側の下縁４１に沿って延在し、さらに、左右の連通口４０，４０に挟まれた中央では、垂木嵌合溝５を跨ぐようにして配置されており、接着剤や粘着テープなどでパネル端面５３に固定されている。
【００２２】
さらに、気密パッキング６０は、パネル端面５３の長手方向の両側の側縁５３ａに沿って立ち上がるように配置されており、気密パッキング６０の両方の端部６０ａ，６０ｂは、パネル本体５０の上面５２から突き出ている。なお、本実施形態に係るパネル端面５３の側縁５３ａは、断熱主板３Ａに対して断熱連結板３Ｂ及び野地面材２が外側に張り出して段差を生じる形状になっているため、気密パッキング６０の両端の部分は、この段差に倣って斜めに立ち上がるように配置されている。しかしながら、気密パッキング６０の両端の部分は、斜めに立ち上がる場合に限らず、パネル本体５０の下面５１に対して垂直に立ち上がるように配置されていてもよい。
【００２３】
横方向ＣＤに隣接する複数の屋根パネル１，１Ｂの気密パッキング６０同士は、気密性を確保するために連続した状態を形成するのが望ましい。しかしながら、気密パッキング６０はパネル端面５３に取り付けられているために、屋根パネル１を構築した後では、上面５２側から気密パッキング６０同士の連続性を確認するのは非常に困難である。本実施形態では、隣接する複数の屋根パネル１，１Ｂの気密パッキング６０同士をパネル端面５３内に全て収めるのではなく、気密パッキング６０の端部６０ａ，６０ｂを、意図的にパネル本体５０の上面５２から突き出させている。従って、屋根パネル１を構築した後で、横方向ＣＤに隣接する第１の屋根パネル１の気密パッキング６０の端部６０ａと第２の屋根パネル１の気密パッキング６０の端部６０ｂとを気密テープ（気密部）６５で被覆することで両方の気密パッキング６０同士の実質的な連続性を確保して、簡単、且つ確実に気密性を確保できる。なお、本実施形態では、気密パッキング６０の端部６０ａ，６０ｂは、パネル本体５０の上面５２から突き出しているが、気密テープ（気密部）６５で被覆することができれば、上面５２と同一面上に配置されるようにしてもよい。
【００２４】
屋根パネル１は、垂木６上に二次元的に敷き詰められることで、建物２００（図７参照）の屋根下地を形成する。このとき、図４に示すように、各屋根パネル１は小屋組の垂木６上に被着され、垂木６を屋根パネル１の断熱材３の垂木嵌合溝５，５Ａに嵌合する。この状態で断熱材３の断熱連結板３Ｂが垂木６の上側を覆い、垂木６による断熱欠陥部を解消する。断熱効率を高めるために断熱連結板３Ｂの厚みは２０ｍｍ以上とすることが望ましい。
【００２５】
図５に示すように、垂木６は下側において軒桁７Ａ、母屋７Ｂ、棟木７Ｃによって支持されている。そして、断熱材３の断熱主板３Ａと垂木６との間には、気密性を確保するためのシール材８（図４参照）が介在されている。
【００２６】
更に、軒先部にあっては、屋根パネル１の通気路４の軒先側端は外気に開放されており、また断熱材３の断熱主板３Ａの下面は壁断熱材２０の上端と当接している。屋根パネル１の断熱材３の断熱主板３Ａの下面と壁断熱材２０の上端との間に形成されている隙間には、軟質ポリウレタン発泡体、軟質ポリ塩化ビニル発泡体、合成ゴムスポンジ等の軟質プラスチック発泡体からなる断熱性シール材９を充填し、屋根の断熱材３と壁断熱材２０との接合部において、断熱構造の連続性が断たれることを防止している。更に、棟部にあっても左右の屋根パネル１，１の接合部の隙間にも、同様な断熱性シール材１０が充填されて断熱構造の連続性が断たれることを防止しているが、断熱性シール材１０は屋根パネル１の通気路４を閉塞しないように屋根パネル１の断熱材３の断熱主板３Ａ間に充填され、棟に沿って左右の屋根パネル１，１間に形成される横通気路１１に、屋根パネル１，１の各通気路４，４の棟側端が開放されるように設定されている。
【００２７】
屋根パネル１の野地面材２の上面（パネル本体５０の上面）５２には、屋根材１２が葺設される。そして、棟部にあっては笠木１３，１３を介して水切り板１４が被覆されている。そして、棟部の所定個所には、図６に示すような棟換気部材１６が被着されており、屋根１７の横通気路１１が棟換気部材１６を介して外気に開放されるように設定されている。棟換気部材１６はポリプロピレン、ポリ塩化ビニル等のプラスチックを材料とし、笠形水切り板１６Ａと、水切り板１６Ａの下面両側に接着される通気性ブロック１６Ｂとからなり、通気性ブロック１６Ｂには例えばハニカム状に多数の連通孔が設けられている。上記の屋根１７にあっては、屋根下地における換気は、屋根パネル１の通気路４が棟換気部材１６を介して外気に開放されることによって行なわれる。
【００２８】
続いて、図７に示すように、上記の屋根パネル１を、切妻屋根をもつ建物２００の垂木６上に敷き詰めて構築される屋根構造２０１について説明する。
【００２９】
屋根構造２０１の棟部を挟んで片方の面においては、縦方向ＬＤに沿って複数の屋根パネル１が敷き詰められ、また、横方向ＣＤに沿って複数の屋根パネル１が敷き詰められて屋根下地が形成されている。縦方向ＬＤに隣接する屋根パネル１の通気路４同士は、連通口４０を介して互いに連通して大気に開放されており、屋根下地での排湿機能を確保する。さらに、縦方向ＬＤに隣接する屋根パネル１のパネル端面５３同士の間には、押しつぶされて弾性変形した気密パッキング６０が介在する。気密パッキング６０は、弾性変形することで対向するパネル端面５３同士に密着し、建物２００の室内Ａ１と通気路４（連通口４０）との間での気体の流通を抑止して気密性を確保している。
【００３０】
横方向ＣＤに隣接する第１の屋根パネル１と第２の屋根パネル１Ｂ（図３参照）との境界Ｌは、上面５２側から接着された気密部６５によって被覆されており、この境界Ｌでの気体の流通を抑止して気密性を確保している。さらに、気密部６５は、第１の屋根パネル１の上面５２から突出する気密パッキング６０の一方の端部６０ｂと、第２の屋根パネル１Ｂの上面５２から突出する気密パッキング６０の一方の端部６０ａとを被覆している。その結果として、両方の気密パッキング６０同士の実質的な連続性を確保して気密性を確保している。
【００３１】
以上の屋根パネル１は、通気路４が形成されたパネル本体５０を備え、さらに、その通気路４と他の屋根パネル１（１Ａ）の通気路４とを連通するための連通口４０が、パネル端面５３に形成されている。従って、屋根構造２０１の屋根下地を構築するために複数の屋根パネル１を垂木６上で面状に並べて配置した際に、各屋根パネル１の通気路４は連通口４０を介して互いに連通し、排湿機能を効果的に達成できる。さらに、連通口４０が形成されたパネル端面５３には、建物２００の室内Ａ１と連通口４０との間での気体の流通を抑止する気密パッキング６０が取り付けられているため、建物２００の気密性向上にも有効である。そして、特に、本実施形態によれば、排湿機能の確保と気密性の向上とを両立できるので、建物の計画換気が容易となり、省エネルギー性に優れた建物を構築し易くなる。
【００３２】
さらに、パネル本体５０は、垂木上に配置された際に、建物の室内Ａ１側を向く下面５１と、建物の屋外Ａ２側を向く上面５２とを有し、気密パッキング６０は、左右に並ぶ通気路４，４それぞれの室内Ａ１側の下縁４１に沿って延在しているため、室内Ａ１と通気路４（連通口４０）との間の気体の流通を確実に抑えることができる。
【００３３】
さらに、本実施形態に係るパネル本体５０では、垂木６の上に断熱材３の断熱連結板３Ｂが存在するから、断熱欠損部が存在せず、また屋根パネル１の野地面材２と断熱材３の断熱主板３Ａとの間において、断熱連結板３Ｂ相互の間に通気路４が設けられており、この通気路４が軒先と棟部とにおいて外気に開放されているので、屋根１７の厚さを厚くすることなく屋根１７の通気性が確保される。
【００３４】
本発明は、以上説明した実施形態に限定されるものではない。例えば、屋根パネルのパネル本体の構成は、上述の態様に限定されず、排湿のための通気路が形成されたパネル本体に広く適用できる。また、通気路の形状も、上述の態様に限定されず、例えば、断熱材を貫通する通気孔を通気路とする形態であってもよい。また、屋根構造としては、切妻屋根に限定されず、寄棟屋根、方形屋根または片流れ屋根などであってもよい。また、本実施形態では、木造の建物を例示するが、軽鉄小屋組にも適用可能である。
【図面の簡単な説明】
【００３５】
【図１】本発明の実施形態に係る屋根パネルを示す一部破断斜視図である。
【図２】図１の屋根パネルの正面図である。
【図３】垂木上に複数の屋根パネルを並べて配置した状態を示す斜視図である。
【図４】垂木上に並べられた状態での複数の屋根パネルのパネル端面及び気密パッキングを示す端面図である。
【図５】屋根パネルを小屋組上に被着した状態の部分断面図である。
【図６】屋根パネルが用いられる建物の棟部の横断面図（棟換気部材取り付け部分）である。
【図７】本発明に係る屋根パネルが用いられる建物及び屋根構造の下地を示す斜視図である。
【符号の説明】
【００３６】
１，１Ａ，１Ｂ…屋根パネル、２…野地面材、３Ａ…断熱主板、３Ｂ…断熱連結板、５，５Ａ…垂木嵌合部、４…通気路、６…垂木、４０…連通口、４１…連通口の下縁、５０…パネル本体、５１…パネル本体の下面、５２…パネル本体の上面、５３…パネル端面、５３ａ…パネル端面の側縁、６０…気密パッキング（気密補助材）、６０ａ，６０ｂ…気密パッキングの端部、６５…気密テープ（気密部）、２００…建物、２０１…屋根構造、ＬＤ…縦方向（第１の方向）、ＣＤ…横方向（第２の方向）、Ａ１…室内、Ａ２…屋外。
【図１】
2010090539.tif 000003
【図２】
2010090539.tif 000004
【図３】
2010090539.tif 000005
【図４】
2010090539.tif 000006
【図５】
2010090539.tif 000007
【図６】
2010090539.tif 000008
【図７】
2010090539.tif 000009